(57)【要約】      （修正有）【課題】ユニットハウスの長手方向に沿って凸条が設けられた屋根材の各部の防水性を高めることができるユニットハウス用屋根の防水構造を提供する。【解決手段】断面台形状の凸条１１が波形状に連続する屋根材１０を複数枚並べて設置する。屋根材１０の長手端部を押圧して平板状の連結端部１２を設け、連結端部１２に唐草金具を装着する。屋根材１０の長手両側縁にハゼ部１４を設け、隣接する屋根材１０のハゼ部１４相互に嵌合帯体１５を圧着する。屋根材１０の屋根梁側に屋根端部板２０を屋根梁の水切り部までを覆うように設ける。【選択図】図３
0003205530.tif 000002
【実用新案登録請求の範囲】
【請求項１】
断面台形状の凸部が波形状に連続する屋根材を複数枚並べると共に、凸条がユニットハウスの長手方向に沿って設けられるユニットハウス用屋根の防水構造において、屋根材の長手端部を押圧して平板状の連結端部を設け、該連結端部に唐草金具を装着し、屋根材の長手両側縁に鉛直上方を向いたハゼ部を設け、隣接する屋根材のハゼ部相互に嵌合帯体を圧着して屋根材相互を連結するように設けると共に、該屋根材のハゼ部側からユニットハウスの屋根梁の水切り部までを覆う屋根端部板を設けたことを特徴とするユニットハウス用屋根の防水構造。
【請求項２】
前記唐草金具は、妻梁の端部を下向きに屈曲した屈曲片に装着される嵌合部と、妻梁の上面に連続する重合片と、該重合片の下面に突設され軒樋の開口部上に位置する誘導片とを備え、前記連結端部にて妻梁の上面から重合片の上面を覆うように構成し、該連結端部を屈曲して重合片の下面まで覆う折返し片を設け、該折返し片から誘導片に雨水を誘導するように構成した請求項１記載のユニットハウス用屋根の防水構造。
【請求項３】
前記ハゼ部は、前記屋根材の長手側縁を鉛直上方に向けて屈曲した屈曲片と、該屈曲片の上端部を前記屋根材側に折り返した折返片とで構成され、隣接するハゼ部の折返片相互の上部に前記嵌合帯体を被せて圧着するように設けられた請求項１記載のユニットハウス用屋根の防水構造。
【請求項４】
前記屋根端部板は、前記屋根材の前記ハゼ部に連結するハゼ部と、前記屋根梁側の端部を折り込んで、前記屋根梁の水切り部に至るまで被覆する包持部とを備えた請求項１記載のユニットハウス用屋根の防水構造。
【考案の詳細な説明】
【技術分野】
【０００１】
本考案は、工場で生産し、現地で組み立てるユニットハウスの屋根を構成するユニットハウス用屋根の防水構造に関するものである。
【背景技術】
【０００２】
従来この種のユニットハウス用の屋根構造として、特許文献１に記載されたユニットハウスの屋根構造が提案されている。
【０００３】
この屋根構造は、特にリベットを使用せずに金属板の屋根をユニットハウスに取り付けるように構成したものである。すなわち、ユニットハウスの屋根を構成する金属板をフレームの上面に載せ、この金属板の四周縁部を屋根枠部の庇部の外周縁より突出させた状態から折り返して折り返し部を形成し、この折り返し部により庇部を包むように構成したものである。
【０００４】
この屋根構造によると、１枚板の金属板で屋根全体を覆うので、屋根の結合作業が容易になり、しかも雨漏りが生じ難くなるというものである。
【０００５】
一方、他のユニットハウスの屋根構造として、屋根の強度を高めるために、断面台形状の凸部が波形状に連続するように形成された屋根材が使用されている。この屋根材は、屋根の長手方向に沿って配置する複数の屋根材を横並びに設置するものである。
【先行技術文献】
【特許文献】
【０００６】
【特許文献１】特許第３１０５５９９号公報
【考案の概要】
【考案が解決しようとする課題】
【０００７】
特許文献１に記載の屋根構造は、１枚の金属板で屋根全体を形成するので、この金属板の重量が嵩むことになり、屋根の設置作業には常に重機を使用する必要がある。しかも、１枚の金属板で形成する屋根形状は限定されるので、２個のユニットハウスを連設した場合には、２倍の面積の金属板が必要になり、製造や施工が更に困難になるといった課題がある。
【０００８】
一方、断面台形状の凸部が波形状に連続する屋根材では、凸条がユニットハウスの長手方向に沿って設けられるので、軽量の屋根材でも高い強度が得られると共に、複数の屋根材を横並びに設置するので、屋根の面積が変更されても柔軟に適応することができる。
【０００９】
ところが、この屋根材では、ユニットハウスの妻側に位置する端部に、断面台形状の凸部端部が波形状に表出しているので、屋根材端部の空隙部が多くなり、雨水が侵入しやすい構造になっている。そのため、断面台形状の凸部が波形状に連続する屋根材では、妻側端部の防水性を高める必要がある。しかも、複数の屋根材を横並びに設置するので、隣接する各屋根材相互の防水性能を高める必要もある。
【００１０】
そこで本考案は、上述の課題を解消すべく案出されたもので、ユニットハウスの長手方向に沿って凸条が設けられた屋根材の各部の防水性を高めることができるユニットハウス用屋根の防水構造の提供を目的とするものである。
【課題を解決するための手段】
【００１１】
上述の目的を達成すべく本考案における第１の手段は、断面台形状の凸部が波形状に連続する屋根材１０を複数枚並べると共に、凸条１１がユニットハウスＰの長手方向に沿って設けられるユニットハウス用屋根の防水構造において、
屋根材１０の長手端部を押圧して平板状の連結端部１２を設け、該連結端部１２に唐草金具１３を装着し、
屋根材１０の長手両側縁に鉛直上方を向いたハゼ部１４を設け、隣接する屋根材１０のハゼ部１４相互に嵌合帯体１５を圧着して屋根材１０相互を連結するように設けると共に、
該屋根材１０のハゼ部１４側からユニットハウスＰの屋根梁３０の水切り部３１までを覆う屋根端部板２０を設けたものである。
【００１２】
第２の手段において、前記唐草金具１３は、妻梁４０の端部を下向きに屈曲した屈曲片４１に装着される嵌合部１３Ａと、妻梁４０の上面に連続する重合片１３Ｂと、該重合片１３Ｂの下面に突設され軒樋５０の開口部上に位置する誘導片１３Ｃとを備え、前記連結端部１２にて妻梁４０の上面から重合片１３Ｂの上面を覆うように構成し、該連結端部１２を屈曲して重合片１３Ｂの下面まで覆う折返し片１２Ａを設け、該折返し片１２Ａから誘導片１３Ｃに雨水を誘導するように構成したものである。
【００１３】
第３の手段の前記ハゼ部１４は、前記屋根材１０の長手側縁を鉛直上方に向けて屈曲した屈曲片１４Ａと、該屈曲片１４Ａの上端部を前記屋根材１０側に折り返した折返片１４Ｂとで構成され、隣接するハゼ部１４の折返片１４Ｂ相互の上部に前記嵌合帯体１５を被せて圧着するように設けられたものである。
【００１４】
第４の手段の前記屋根端部板２０は、前記屋根材１０の前記ハゼ部１４に連結するハゼ部２１と、前記屋根梁３０側の端部を折り込んで、前記屋根梁３０の水切り部３１に至るまで被覆する包持部２２とを備えたものである。
【考案の効果】
【００１５】
請求項１のごとく、屋根材１０の長手端部を押圧して平板状の連結端部１２を設け、該連結端部１２に唐草金具１３を装着したことで、ユニットハウスの妻側の屋根端部の防水性を高めることができる。
【００１６】
しかも、屋根材１０の長手両側縁に鉛直上方を向いたハゼ部１４を設け、隣接する屋根材１０のハゼ部１４相互に嵌合帯体１５を圧着して屋根材１０相互を連結するように設けているので、複数の屋根材を横並びに設置しても、各屋根材の長手両側縁の防水性能を高めることができる。
【００１７】
更に、屋根材１０のハゼ部１４側からユニットハウスＰの屋根梁３０の水切り部３１までを覆う屋根端部板２０を設けたことにより、ユニットハウスの屋根梁３０側の防水性能も高めることができるものである。
【００１８】
請求項２のように、唐草金具１３は、妻梁４０の端部を下向きに屈曲した屈曲片４１に装着される嵌合部１３Ａと、妻梁４０の上面に連続する重合片１３Ｂと、該重合片１３Ｂの下面に突設され軒樋５０の開口部上に位置する誘導片１３Ｃとを備え、連結端部１２にて妻梁４０の上面から重合片１３Ｂの上面を覆うように構成し、該連結端部１２を屈曲して重合片１３Ｂの下面まで覆う折返し片１２Ａを設け、該折返し片１２Ａから誘導片１３Ｃに雨水を誘導するように構成したことで、屋根材１０の上面から流れる雨水は、連結端部１２の折返し片１２Ａから唐草金具１３の誘導片１３Ｃに伝わるので、確実に雨水を軒樋５０に排出することが可能になる。
【００１９】
請求項３のごとく、ハゼ部１４は、屋根材１０の長手側縁を鉛直上方に向けて屈曲した屈曲片１４Ａと、該屈曲片１４Ａの上端部を屋根材１０側に折り返した折返片１４Ｂとで構成され、隣接するハゼ部１４の折返片１４Ｂ相互の上部に嵌合帯体１５を被せて圧着するように設けているので、屋根材１０長手側縁に沿った連結部分の防水性能を高めることができる。
【００２０】
請求項４のように、屋根端部板２０は、屋根材１０のハゼ部１４に連結するハゼ部２１と、屋根梁３０側の端部を折り込んで、屋根梁３０の水切り部３１に至るまで被覆する包持部２２とを備えたものであるから、屋根材１０から屋根梁３０に連続する部分の防水性能を確実に高めることができるものである。
【００２１】
このように本考案によると、ユニットハウスの長手方向に沿って凸条が設けられた屋根材の各部の防水性を高めることができるなどといった当初の目的を達成した。
【図面の簡単な説明】
【００２２】
【図１】本考案ユニットハウスの一実施例を示す斜視図である。
【図２】本考案の屋根材と屋根端部板とを示す要部分解斜視図である。
【図３】本考案の屋根材と屋根端部板との連結状態を示す要部斜視図である。
【図４】本考案の唐草金具と連結端部との連結状態を示す要部断面図である。
【図５】本考案の唐草金具を示す端面図である。
【図６】本考案の唐草金具と連結端部とを示す端面図である。
【図７】本考案の折返し片を屈曲した状態を示す端面図である。
【図８】本考案の折返し片を唐草金具に圧着した状態を示す端面図である。
【図９】本考案の屋根端部板を示す要部断面図である。
【考案を実施するための形態】
【００２３】
以下、本考案の実施の形態を説明する。本考案は、工場で生産し、現地で組み立てるユニットハウスＰの屋根を構成するユニットハウス用屋根の防水構造に関するものである。本考案では、特に、断面台形状の凸条１１が波形状に連続する屋根材１０を使用する（図２参照）。
【００２４】
この屋根材１０は、断面台形状の凸部によって形成される凸条１１がユニットハウスＰの長手方向に沿って配置されるもので、複数枚の屋根材１０を横並びに接続するように構成されている（図１参照）。
【００２５】
この屋根材１０の長手端部を押圧して平板状の連結端部１２を設けている（図２参照）。この連結端部１２は、工場で屋根材１０を所定の長さに製造した後に、屋根材１０の長手端部を凸条１１ごと圧潰用の装置で強制的に板状に潰して形成した部位である。この連結端部１２には、折返し片１２Ａが形成されており、後述する唐草金具１３に固定する（図４参照）。
【００２６】
すなわち、連結端部１２にて妻梁４０の上面から唐草金具１３の上面を連続して覆うと共に、この折返し片１２Ａを屈曲して唐草金具１３の下面まで覆うように形成している（図４参照）。そして、この折返し片１２Ａを唐草金具１３の先端部に圧着して固定する。
【００２７】
唐草金具１３は、妻梁４０の屈曲された端部に装着される部材である（図５参照）。図示の唐草金具１３は、妻梁４０の端部を下向きに屈曲した屈曲片４１に、下から嵌合する嵌合部１３Ａと、屋根材１０の長手方向に沿って重合される重合片１３Ｂと、この嵌合部１３Ａの下面からユニットハウスＰの軒樋５０の開口部上に雨水を誘導する誘導片１３Ｃとを備えている（図４参照）。
【００２８】
連結端部１２土地唐草金具１３との連結手段は、まず、屈曲片４１に連結した唐草金具１３の重合片１３Ｂ上に連結端部１２を重ねる（図６参照）。更に、重合片１３Ｂより先端方向に伸びた折返し片１２Ａを重合片１３Ｂの下面方向に屈曲する（図７参照）。更に、重合片１３Ｂの下面に折返し片１２Ａを圧着固定する（図８参照）。連結端部１２や唐草金具１３をこのように形成することで、屋根材１０上の雨水は、連結端部１２から唐草金具１３の誘導片１３Ｃを介して確実に軒樋５０に導入されるものである（図４参照）。
【００２９】
屋根材１０の長手両側縁には、鉛直上方を向いたハゼ部１４を設けている（図２参照）。そして、隣接する屋根材１０のハゼ部１４や、屋根端部板２０のハゼ部２１相互に嵌合帯体１５を圧着して屋根材１０相互を連結するように設けている（図３参照）。
【００３０】
図示のハゼ部１４は、屈曲片１４Ａと折返片１４Ｂとを備えたものである（図９参照）。すなわち、屈曲片１４Ａは、屋根材１０の長手側縁を鉛直上方に向けて屈曲した部位である。また、折返片１４Ｂは、屈曲片１４Ａの上端部を前記屋根材１０側に折り返した部位である。
【００３１】
そして、隣接するハゼ部１４の折返片１４Ｂや屋根端部板２０のハゼ部２１相互の上部に前記嵌合帯体１５を被せて圧着するように構成している（図３参照）。尚、図３中符号１６は、ハゼ部１４相互やハゼ部２１との接続端部に装着する挟着体１６であり、符号１７は、連結端部１２の折り返した折返し片１２Ａを唐草金具１３に固定する固定体１７である。
【００３２】
屋根端部板２０は、屋根材１０の屋根梁３０側に接続する部材である（図９参照）。この屋根端部板２０は、ハゼ部１４側からユニットハウスＰの屋根梁３０の水切り部３１までを覆う板状を成し、屋根材１０と屋根梁３０との間に隙間が生じないように構成している。
【００３３】
図示の屋根端部板２０は、ハゼ部２１と包持部２２とを備えた構成である（図２参照）。すなわち、ハゼ部２１は、屋根材１０のハゼ部１４と同じ形状を成し、屈曲片１５Ａと折返片１５Ｂとで構成され、この折返片１５Ｂと屋根材１０の折返片１４Ｂとに嵌合帯体１５を圧着して連結する（図３参照）。
【００３４】
一方、包持部２２は、屋根梁３０の端部を略Ｌ字形状に折り込んで形成した水切り部３１に至るまで被覆する部位である（図９参照）。図示の包持部２２は、水切り部３１の下端部まで被覆するように構成している。
【００３５】
尚、本考案接合構造は図示例に限定されるものではなく、屋根材１０、屋根端部板２０、屋根梁３０、妻梁４０等の構成や形状は任意に変更することができる。また、本考案の要旨を変更しない範囲での設計変更は自由に行える。
【符号の説明】
【００３６】
Ｐ  ユニットハウス
１０  屋根材
１１  凸条
１２  連結端部
１２Ａ  折返し片
１３  唐草金具
１３Ａ  嵌合部
１３Ｂ  重合片
１３Ｃ  誘導片
１４  ハゼ部
１４Ａ  屈曲片
１４Ｂ  折返片
１５  嵌合帯体
１６  挟着体
１７  固定体
２０  屋根端部板
２１  ハゼ部
２２  包持部
３０  屋根梁
３１  水切り部
４０  妻梁
４１  屈曲片
５０  軒樋
【図１】
0003205530.tif 000003
【図２】
0003205530.tif 000004
【図３】
0003205530.tif 000005
【図４】
0003205530.tif 000006
【図５】
0003205530.tif 000007
【図６】
0003205530.tif 000008
【図７】
0003205530.tif 000009
【図８】
0003205530.tif 000010
【図９】
0003205530.tif 000011